(57)【要約】【課題】放射線画像取得メニューと放射線画像とを視認性よく表示することができる携帯型コンソール、携帯型コンソールの制御方法、携帯型コンソール用プログラム、及び放射線撮影システムを提供する。【解決手段】携帯型コンソールの表示制御部は、放射線画像検出装置から取得した患畜の放射線画像を、画像表示画面７７の画像表示領域７８に表示する。表示制御部は、画像表示画面７７に取得した放射線画像６５Ａを表示してから予め設定された表示待機時間の経過後に、次の放射線画像を取得するための次の放射線画像取得メニュー８２を放射線画像６５Ａに重なるように表示する。【選択図】図１４
2016059738.tif 000002
【特許請求の範囲】
【請求項１】
放射線画像記録装置により記録された放射線画像を取得する携帯型コンソールであって、
前記放射線画像を取得するための放射線画像取得メニューが複数登録可能なメニュー登録部と、
複数の前記放射線画像取得メニューに基づいて、複数の前記放射線画像を順次取得する放射線画像取得部と、
前記放射線画像取得メニューに応じて取得された前記放射線画像を表示部に表示した後に、前記複数の放射線画像取得メニューのうち、少なくとも次の放射線画像を取得するための次の放射線画像取得メニューを表示中の前記放射線画像に重ねて表示する表示制御部と、
を備える携帯型コンソール。
【請求項２】
前記表示制御部は、前記表示部に前記放射線画像が表示されてから、表示待機時間の経過後に、前記次の放射線画像取得メニューを表示する請求項１に記載の携帯型コンソール。
【請求項３】
前記放射線画像として本画像及び前記本画像よりもデータ量の小さなプレビュー画像を前記プレビュー画像及び前記本画像の順に切り替えて前記表示部に表示する場合には、
前記表示制御部は、前記表示部の表示が前記プレビュー画像から前記本画像に切り替わる際に、前記本画像に重なるように前記次の放射線画像取得メニューを前記表示部に表示する請求項１に記載の携帯型コンソール。
【請求項４】
前記表示制御部は、前記次の放射線画像取得メニューが複数のサブメニューにより構成されたセットメニューである場合には、前記セットメニュー毎に前記複数のサブメニューを前記次の放射線画像取得メニューとして表示する請求項１から３のいずれか１項に記載の携帯型コンソール。
【請求項５】
前記表示制御部は、前記表示部に表示中の放射線画像を取得するために登録された現在の放射線画像取得メニューを、前記放射線画像に重ねて表示する請求項１から４のいずれか１項に記載の携帯型コンソール。
【請求項６】
前記表示制御部は、前記プレビュー画像を取得するために登録された現在の放射線画像取得メニューを前記プレビュー画像に重ねて表示し、
前記プレビュー画像から前記本画像に表示が切り替わる際に、前記本画像に重なるように前記次の放射線画像取得メニューを前記表示部に表示する請求項３に記載の携帯型コンソール。
【請求項７】
前記表示制御部は、前記放射線画像のうち、前記放射線画像記録装置によって前記被写体を透過せずに放射線が直接記録された領域である素抜け領域内に、前記次の放射線画像取得メニューまたは前記現在の放射線画像取得メニューを表示する請求項５または６に記載の携帯型コンソール。
【請求項８】
前記表示制御部は、前記素抜け領域の形状に応じて、前記素抜け領域内に納まるように、前記次の放射線画像取得メニューまたは前記現在の放射線画像取得メニューの表示形態を変更する請求項７に記載の携帯型コンソール。
【請求項９】
前記表示制御部は、前記現在の放射線画像取得メニューを表示する場合に、前記表示部に表示中の放射線画像に付帯されている付帯情報を読み出し、前記付帯情報に含まれる複数の項目のうち、前記現在の放射線画像取得メニューに関連する項目を前記放射線画像に重ねて表示する請求項４から７のいずれか１項に記載の携帯型コンソール。
【請求項１０】
前記放射線画像取得部は、前記次の放射線画像取得メニューが前記メニュー登録部で登録された別の放射線画像取得メニューに変更された場合には、放射線画像の取得順序を変更する請求項１から４のいずれか１項に記載の携帯型コンソール。
【請求項１１】
前記次の放射線画像取得メニューが、前記表示部に表示中の放射線画像を取得するために登録された現在の放射線画像取得メニューに変更された場合には、前記現在の放射線画像取得メニューに基づく前記放射線画像記録装置による再撮影を可能にする請求項１から４のいずれか１項に記載の携帯型コンソール。
【請求項１２】
前記次の放射線画像取得メニューを音声によって報知する音声報知部を備える請求項１から１１のいずれか１項に記載の携帯型コンソール。
【請求項１３】
前記表示制御部は、前記メニュー登録部で登録された複数の放射線画像取得メニューに基づく最初の放射線画像が取得されるまで、前記放射線画像記録装置で前記放射線画像を記録するための手順を表す撮影ガイダンス情報を、前記表示部に表示する請求項１から１２のいずれか１項に記載の携帯型コンソール。
【請求項１４】
前記放射線画像記録装置で記録された患畜の放射線画像を取得する動物病院用のコンソールである請求項１から１３のいずれか１項に記載の携帯型コンソール。
【請求項１５】
放射線画像記録装置により記録された放射線画像を取得する携帯型コンソールの制御方法であって、
前記放射線画像を取得するための放射線画像取得メニューが複数登録されるメニュー登録ステップと、
複数の前記放射線画像取得メニューに基づいて、複数の前記放射線画像を順次取得する放射線画像取得ステップと、
前記放射線画像取得メニューに応じて取得された前記放射線画像を表示部に表示した後に、前記複数の放射線画像取得メニューのうち、少なくとも次の放射線画像を取得するための次の放射線画像取得メニューを表示中の前記放射線画像に重ねて表示する表示ステップと、
を備える携帯型コンソールの制御方法。
【請求項１６】
携帯情報端末を、放射線画像記録装置により記録された放射線画像を取得する携帯型コンソールとして機能させる携帯型コンソール用プログラムであって、
前記放射線画像を取得するための放射線画像取得メニューが複数登録されるメニュー登録ステップと、
複数の前記放射線画像取得メニューに基づいて、複数の前記放射線画像を順次取得する放射線画像取得ステップと、
前記放射線画像取得メニューに応じて取得された前記放射線画像を表示部に表示した後に、前記複数の放射線画像取得メニューのうち、少なくとも次の放射線画像を取得するための次の放射線画像取得メニューを表示中の前記放射線画像に重ねて表示する表示ステップと、
を備える携帯型コンソール用プログラム。
【請求項１７】
放射線を発生する放射線発生装置と、被写体を透過した放射線から放射線画像を記録する放射線画像記録装置と、請求項１から１４のいずれか１項に記載の前記携帯型コンソールとを備える放射線撮影システムであり、
前記携帯型コンソールを保持するためのコンソール保持部を備える放射線撮影システム。
【発明の詳細な説明】
【技術分野】
【０００１】
本発明は、放射線画像検出装置の操作端末である携帯型コンソール、携帯型コンソールの制御方法、携帯型コンソール用プログラム、及び放射線撮影システムに関するものである。
【背景技術】
【０００２】
医療分野において、患者の医用画像に基づいて診断を行う画像検査が行われている。また、医用画像を撮影するための装置として、放射線、例えばＸ線を利用した放射線撮影システムが知られている。放射線撮影システムは、放射線を発生する放射線発生装置と、被写体（患者）を透過した放射線により患者の放射線画像を撮影する放射線撮影装置とを備えている。放射線発生装置は、放射線を患者に向けて照射する放射線源と、放射線源の駆動を制御する線源制御装置と、放射線源を動作させるための指示を線源制御装置に入力する照射スイッチとを有している。放射線撮影装置は、放射線画像記録装置と、放射線画像記録装置により記録された放射線画像を取得して表示するコンソールとを有している。
【０００３】
放射線画像記録装置には、放射線フイルムや、輝尽性蛍光体が塗布されたイメージングプレート（ＩＰ；Imaging Plate）を用いて放射線画像を記録するものがある。放射線フイルムやＩＰにより記録された放射線画像は、放射線フイルム用スキャナや、ＩＰ用読み取り装置により読み取られて画像データに変換される。コンソールは、変換された画像データを取得して表示する。また、放射線画像を電気的に記録する放射線画像記録装置として、放射線画像検出装置が知られている。放射線画像検出装置は、フラットパネルディテクタ（ＦＰＤ；flat panel detector）とも呼ばれるセンサーパネルを有し、このセンサーパネルによって患者を透過した放射線を電気信号に変換することにより放射線画像を検出するものである。放射線画像検出装置は、検出した放射線画像を即座にコンソールに送信してコンソールで画像を表示することができるため、Ｘ線フイルムやＩＰを利用した従来の放射線画像記録装置と比較して、撮影した直後に画像を確認できるというメリットがある。
【０００４】
一般的なデスクトップ型のコンソールは、ディスプレイ及びコンソール本体を備えている。ディスプレイには、放射線画像を取得するための放射線画像取得メニューや、放射線画像取得メニューに基づいて取得された放射線画像などが表示される。放射線画像取得メニューには、撮影部位や撮影方向など、放射線画像の撮影内容が文字やアイコンなどによって表示される。コンソール本体は、パーソナルコンピュータやワークステーションなどによって構成されており、放射線画像記録装置により記録された放射線画像を取得する。また、コンソール本体は、ディスプレイに放射線画像取得メニューや放射線画像を表示する表示制御部としても機能する。
【０００５】
特許文献１には、スマートフォンやタブレット端末などの携帯情報端末により構成された携帯型コンソールを備える放射線撮影装置が記載されている。携帯型コンソールは、画面表示とタッチ操作とが可能なタッチパネルを有している。タッチパネルには、上述したデスクトップ型のコンソールと同様に、放射線画像取得メニューや放射線画像が表示される。携帯型コンソールは、デスクトップ型コンソールに比べて小型、軽量であり、手に持った状態でも操作ができるため、動物病院や、機動性が要求される救急医療など、医師が立った状態で診療を行う場合が多い医療分野での利便性が高い。
【先行技術文献】
【特許文献】
【０００６】
【特許文献１】特開２００９−０８９７２３
【発明の概要】
【発明が解決しようとする課題】
【０００７】
動物病院では、携帯型コンソールを専用のスタンドに立てて、あるいは台上で壁などに立て掛けるなどして、医師から離れた位置に携帯型コンソールを据え置いた状態で使用する場合がある。というのも、動物病院では、放射線画像の撮影時に撮影対象となる動物（以下、患畜という）が暴れて携帯型コンソールを破損することや、患畜の糞尿などで携帯型コンソールを汚損することがあるからである。また、動物病院において複数の放射線画像を撮影する場合には、患畜を所定のポジションで押さえつけたまま、あるいは患畜のポジションを適宜変更しながら連続して撮影を行うことがあり、このような場合でも携帯型コンソールは据え置いた状態で使用される。
【０００８】
また、人間に対する医療においても救急医療や回診の現場では携帯型コンソールの利便性は高いが、患者が一人で立てない場合に、医師や技師が患者を支えた状態で撮影が行われる場合がある。携帯型コンソールは、このような場合にも据え置いた状態で使用される。
【０００９】
上述したように、携帯型コンソールは、医師や技師から離れた位置に据え置いて使用される場合があるため、離れた位置からでも放射線画像を確認できるように、タッチパネル全体に放射線画像を大きなサイズで表示できることが望まれている。特に連続して複数枚の撮影を行う場合には、都度撮影した放射線画像においてポジショニングなどに問題がないかを確認してから次の撮影に進むため、確認用に放射線画像を表示する必要がある。
【００１０】
また、放射線画像取得メニューに基づいて患畜のポジションを変更しながら連続して撮影を行えるようにするために、離れた位置から放射線画像取得メニューを確認できるように表示されることも望まれている。しかしながら、携帯型コンソールのタッチパネルは、デスクトップ型コンソールのディスプレイに比べてサイズが小さいので、タッチパネルに放射線画像取得メニューと放射線画像とを一緒に表示する場合には、放射線画像取得メニューと放射線画像の表示サイズを小さくしなければならず、視認性が悪化してしまう。
【００１１】
特許文献１には、携帯型コンソールにおいて、放射線画像取得メニュー及び放射線画像を視認性よく表示させる構成は、記載されていない。
【００１２】
本発明は、上記課題を解決するために、放射線画像取得メニューと放射線画像とを視認性よく表示することができる携帯型コンソール、携帯型コンソールの制御方法、携帯型コンソール用プログラム、及び放射線撮影システムを提供することを目的とする。
【課題を解決するための手段】
【００１３】
上記課題を解決するために、本発明の携帯型コンソールは、放射線画像記録装置により記録された放射線画像を取得する携帯型コンソールであって、放射線画像を取得するための放射線画像取得メニューが複数登録可能なメニュー登録部と、複数の放射線画像取得メニューに基づいて、複数の放射線画像を順次取得する放射線画像取得部と、放射線画像取得メニューに応じて取得された放射線画像を表示部に表示した後に、複数の放射線画像取得メニューのうち、少なくとも次の放射線画像を取得するための次の放射線画像取得メニューを、表示中の放射線画像に重ねて表示する表示制御部を備えている。
【００１４】
表示制御部は、表示部に放射線画像が表示されてから、表示待機時間の経過後に、次の放射線画像取得メニューを表示することが好ましい。
【００１５】
また、放射線画像として本画像及び本画像よりもデータ量の小さなプレビュー画像をプレビュー画像及び本画像の順に切り替えて表示部に表示する場合には、表示制御部は、表示部の表示がプレビュー画像から本画像に切り替わる際に、本画像に重なるように次の放射線画像取得メニューを表示部に表示することが好ましい。
【００１６】
表示制御部は、次の放射線画像取得メニューが複数のサブメニューにより構成されたセットメニューである場合には、セットメニュー毎に複数のサブメニューを次の放射線画像取得メニューとして表示することが好ましい。
【００１７】
表示制御部は、表示部に表示中の放射線画像を取得するために登録された現在の放射線画像取得メニューを、放射線画像に重ねて表示することが好ましい。
【００１８】
表示制御部は、プレビュー画像を取得するために登録された現在の放射線画像取得メニューをプレビュー画像に重ねて表示し、プレビュー画像から本画像に表示が切り替わる際に、本画像に重なるように次の放射線画像取得メニューを表示部に表示することが好ましい。
【００１９】
表示制御部は、放射線画像のうち、放射線画像記録装置によって被写体を透過せずに放射線が直接記録された領域である素抜け領域内に、次の放射線画像取得メニューまたは現在の放射線画像取得メニューを表示することが好ましい。
【００２０】
表示制御部は、素抜け領域の形状に応じて、素抜け領域内に納まるように、次の放射線画像取得メニューまたは現在の放射線画像取得メニューの表示形態を変更することが好ましい。
【００２１】
表示制御部は、現在の放射線画像取得メニューを表示する場合に、表示部に表示中の放射線画像に付帯されている付帯情報を読み出し、付帯情報に含まれる複数の項目のうち、現在の放射線画像取得メニューに関連する項目を放射線画像に重ねて表示することが好ましい。
【００２２】
放射線画像取得部は、次の放射線画像取得メニューがメニュー登録部で登録された別の放射線画像取得メニューに変更された場合には、放射線画像の取得順序を変更することが好ましい。また、次の放射線画像取得メニューが、表示部に表示中の放射線画像を取得するために登録された現在の放射線画像取得メニューに変更された場合には、現在の放射線画像取得メニューに基づく放射線画像記録装置による再撮影を可能にすることが好ましい。
【００２３】
次の放射線画像取得メニューを音声によって報知する音声報知部を備えることが好ましい。
【００２４】
表示制御部は、メニュー登録部で登録された複数の放射線画像取得メニューに基づく最初の放射線画像が取得されるまで、放射線画像記録装置で放射線画像を記録するための手順を表す撮影ガイダンス情報を、表示部に表示することが好ましい。
【００２５】
本発明の携帯型コンソールは、放射線画像記録装置により記録された患畜の放射線画像を取得する動物病院用のコンソールであることが好ましい。
【００２６】
本発明の携帯型コンソールの制御方法は、被放射線画像記録装置により記録された放射線画像を取得する携帯型コンソールの制御方法であって、放射線画像を取得するための放射線画像取得メニューが複数登録されるメニュー登録ステップと、複数の放射線画像取得メニューに基づいて、複数の放射線画像を順次取得する放射線画像取得ステップと、放射線画像取得メニューに応じて取得された放射線画像を表示部に表示した後に、複数の放射線画像取得メニューのうち、少なくとも次の放射線画像を取得するための次の放射線画像取得メニューを、表示中の放射線画像に重ねて表示する表示ステップを備えている。
【００２７】
本発明の携帯型コンソール用プログラムは、携帯情報端末を、放射線画像記録装置により記録された放射線画像を取得する携帯型コンソールとして機能させる携帯型コンソール用プログラムであって、上述したメニュー登録ステップと、放射線画像取得ステップと、表示ステップとを備えている。
【００２８】
本発明の放射線撮影システムは、放射線を発生する放射線発生装置と、被写体を透過した放射線から放射線画像を記録する放射線画像記録装置と、上述した携帯型コンソールとを備える放射線撮影システムであり、携帯型コンソールを保持するためのコンソール保持部を備えている。
【発明の効果】
【００２９】
本発明によれば、表示部に放射線画像を表示した後に、放射線画像に重なるように次の放射線画像取得メニューを表示している。したがって、最初の段階では、表示部には放射線画像のみが表示されるので、放射線画像の表示サイズを小さくする必要がなく、他の表示要素によって放射線画像が隠れることもないので、放射線画像を視認性よく表示することができる。また、放射線画像の表示後に、次の放射線画像取得メニューが表示されるので、次に撮影される放射線画像の撮影内容を確認することができる。さらに、次の放射線画像取得メニューは、放射線画像に重なるように表示されるので、放射線画像と次の放射線画像取得メニューの表示サイズを小さくしなくても両者を同時に表示することができる。したがって、放射線画像と次の放射線画像取得メニューとを視認性よく表示部に表示することができるので、携帯型コンソールから離れた位置からでも、放射線画像及び次の放射線画像取得メニューを確認することができる。
【図面の簡単な説明】
【００３０】
【図１】動物病院用放射線画像検査システムの構成を示す概略図である。
【図２】放射線撮影システムの側面図である。
【図３】放射線画像検査装置の外観を示す斜視図である。
【図４】放射線画像ＤＢの構成を示す説明図である。
【図５】光学画像ＤＢの構成を示す説明図である。
【図６】携帯型コンソールの構成を示す正面図である。
【図７】携帯型コンソールの電気的な構成を示すブロック図である。
【図８】ＣＰＵの機能的な構成を示すブロック図である。
【図９】携帯型コンソールの処理手順を示すフローチャートである。
【図１０】モード設定画面の構成を示す説明図である。
【図１１】検査画面の構成を示す説明図である。
【図１２】メニュー登録処理の際に表示される指定リストの説明図である。
【図１３】放射線画像が表示された画像表示画面の説明図である。
【図１４】放射線画像及び次の放射線画像表示メニューが表示された画像表示画面の説明図である。
【図１５】操作ボタンが表示された画像表示画面の説明図である。
【図１６】写損処理の際の検査画面を示す説明図である。
【図１７】放射線画像取得処理の手順を示すフローチャートである。
【図１８】次の放射線画像表示メニューのみが表示された画像表示画面の説明図である。
【図１９】放射線画像の素抜け領域に合わせて次の放射線画像表示メニューの表示形態を変更した画像表示画面の説明図である。
【図２０】放射線画像と放射線画像取得メニューとを一致させて写損処理を行う際の画像表示画面を示す説明図である。
【図２１】第２実施形態の放射線撮影装置の構成を示すブロック図である。
【図２２】第２実施形態の放射線画像取得処理の手順を示すフローチャートである。
【図２３】第２実施形態の画像表示画面の遷移状態を示す説明図である。
【図２４】第３実施形態の検査画面の説明図である。
【図２５】第３実施形態の胸部セットメニューの構成を示すブロック図である。
【図２６】第３実施形態の腹部セットメニューの構成を示すブロック図である。
【図２７】第３実施形態の画像表示画面の遷移状態を示す説明図である。
【図２８】第４実施形態の放射線画像取得処理の手順を示すフローチャートである。
【図２９】第４実施形態の画像表示画面の遷移状態を示す説明図である。
【図３０】第５実施形態の放射線画像取得処理の手順を示すフローチャートである。
【図３１】第５実施形態の画像表示画面の遷移状態を示す説明図である。
【図３２】第６実施形態で利用するオーバーレイ情報の構成を示すブロック図である。
【図３３】第６実施形態の画像表示画面を示す説明図である。
【図３４】第７実施形態の携帯型コンソールの構成を示すブロック図である。
【図３５】第８実施形態の携帯型コンソールの構成を示すブロック図である。
【図３６】第８実施形態の画像表示画面を示す説明図である。
【図３７】第９実施形態の放射線撮影システムを示す斜視図である。
【発明を実施するための形態】
【００３１】
［第１実施形態］
図１に示す動物病院用の放射線画像検査システム１０は、犬や猫などの患畜Ｐの画像検査に用いられるコンピュータシステムである。放射線画像検査システム１０は、患畜Ｐの放射線画像を撮影する放射線撮影システム１１と、患畜Ｐの放射線画像などを管理する画像サーバ１２と、これらを通信可能に接続する通信ネットワーク１３とを備えている。通信ネットワーク１３は、例えば動物病院内に敷設されたＬＡＮ（Local Area Network）である。
【００３２】
放射線撮影システム１１は、動物病院の撮影室内に設置されている。放射線撮影システム１１は、被写体である患畜Ｐを載せるための台板２２を有する撮影台１５と、放射線を発生する放射線発生装置１６と、患畜Ｐを透過した放射線から放射線画像を撮影する放射線撮影装置１７とを備えている。放射線発生装置１６及び放射線撮影装置１７の一部は、撮影台１５に組み込まれている。放射線撮影システム１１は、獣医師Ｄによって操作されるコンソールとして、動物病院内での携帯が可能な携帯型コンソール３１を備えている。
【００３３】
撮影台１５は、ベース部１９、スタンド部２０、昇降部２１及び台板２２を備えている。ベース部１９は、撮影室内の床に設置されて撮影台１５全体を支持する台座である。スタンド部２０は、ベース部１９に対して直立するように固定された柱状部品であり、台板２２を支持する。
【００３４】
昇降部２１は、台板２２を支持するための部品であり、上下方向で移動自在となるようにスタンド部２０に装着されている。昇降部２１には、放射線撮影装置１７の一部を構成する放射線画像検出装置（放射線画像記録装置）３０を収容するための収容部２１ａが設けられている。収容部２１ａは、前面に設けられた把手２１ｂによって台板２２の下方から引き出すことができる。収容部２１ａの内側に設けられた収容スペース内に放射線画像検出装置３０が収容される。放射線画像検出装置３０が収容された収容部２１ａを台板２２の下に戻すと、台板２２の下方に放射線画像検出装置３０が配置される。
【００３５】
台板２２は、患畜Ｐを載せるための板状部品であり、患畜Ｐが載せられる上面２２ａが水平になるように、昇降部２１によって支持されている。台板２２は、横長の長方形状をしており、長手方向に沿って水平移動可能なように昇降部２１によって支持されている。したがって、患畜Ｐが載せられた台板２２を移動させることにより、患畜Ｐの撮影部位を放射線画像検出装置３０に対面させることができる。
【００３６】
放射線発生装置１６は、台板２２の上に載せられた患畜Ｐに向けて放射線を照射する放射線源２４と、放射線源２４を制御する線源制御装置２５と、照射スイッチ２６とを備えている。放射線源２４及び照射スイッチ２６は、ベース部１９及びスタンド部２０内に引き回された信号ケーブル２７ａ、２７ｂにより、線源制御装置２５に接続されている。
【００３７】
放射線源２４は、台板２２に対面するように、スタンド部２０の上部に支持されている。放射線源２４は、放射線（例えばＸ線）Ｘを放射する放射線管２４ａと放射線管２４ａが放射する放射線の照射野を限定する照射野限定器（コリメータ）２４ｂとを有している。
【００３８】
線源制御装置２５は、撮影条件に基づいて制御信号を生成し、この制御信号によって放射線源２４を制御する。撮影条件は、放射線のエネルギースペクトルを決める管電圧、単位時間当たりの照射量を決める管電流、及び放射線の照射が継続する照射時間などである。制御信号は、信号ケーブル２７ａを通じて放射線源２４に送信される。線源制御装置２５には、撮影条件を設定するための操作パネル２５ａが一体に設けられている。操作パネル２５ａは、撮影条件の設定操作に用いられる複数の操作ボタンと、設定内容を表示する表示部とを備えている。線源制御装置２５は、スタンド部２０内に設けられている。操作パネル２５ａは、スタンド部２０の前面から露呈されている。線源制御装置２５は、台板２２に載せた患畜Ｐを押さえながら操作パネル２５ａを操作できるようにするために、台板２２と放射線源２４との間に配置されている。
【００３９】
照射スイッチ２６は、フットペダルとも呼ばれる足踏み式の照射スイッチである。獣医師Ｄは、台板２２上に載せた患畜Ｐを両手で押さえながら、照射スイッチ２６を足で踏んで操作することができる。照射スイッチ２６は、操作に応じて放射線源２４に照射を開始させるための照射開始信号を発生する。照射スイッチ２６が発生する照射開始信号は、信号ケーブル２７ｂを通じて線源制御装置２５に入力される。
【００４０】
線源制御装置２５は、照射スイッチ２６からの信号に基づいて、放射線源２４の動作を制御する。照射スイッチ２６から照射開始信号を受けた場合には、線源制御装置２５は、放射線源２４への電力供給を開始して、放射線源２４に放射線を照射させる。放射線の照射開始と同時に、線源制御装置２５は、タイマを作動させて放射線の照射時間の計測を開始し、撮影条件で設定された照射時間が経過した場合に放射線の照射を停止させる。放射線の照射時間は、照射条件に応じて変化する。線源制御装置２５には、安全規制上の最大照射時間が設定されており、照射条件に基づいて設定される照射時間は、最大照射時間の範囲内で設定される。
【００４１】
放射線撮影装置１７は、放射線画像を検出する放射線画像検出装置３０と、放射線画像検出装置３０の操作端末であり、検出された放射線画像を取得して表示する携帯型コンソール３１とを備えている。放射線画像検出装置３０は、扁平かつ平板状で、平面形状が矩形状の筐体３８（図３参照）を備えている。筐体３８は、フイルムカセッテやＩＰ（Imaging Plate）カセッテの国際規格ＩＳＯ４０９０：２００１に準拠した形状をしている。そのため、放射線画像検出装置３０は、一般に電子カセッテとも呼ばれている。放射線画像検出装置３０は、筐体３８内に収容したセンサーパネル３７（図３参照）により、患畜Ｐを透過した放射線を電気信号に変換して放射線画像を検出する。
【００４２】
放射線画像検出装置３０は、撮影台１５内の信号ケーブル２７ｃにより線源制御装置２５に接続されている。放射線画像検出装置３０は、線源制御装置２５から信号ケーブル２７ｃを通じて、撮影条件及び同期信号を受信する。撮影条件は、放射線画像を検出する際にセンサーパネル３７で行われる信号処理の処理条件の設定に利用される。同期信号は、放射線源２４による放射線の照射開始を知らせる開始信号と、放射線の照射終了を知らせる終了信号とを含む。センサーパネル３７は、開始信号に応じて放射線画像の検出を開始し、終了信号に応じて放射線画像の検出を終了する。放射線画像検出装置３０は、検出した放射線画像を携帯型コンソール３１に送信する。
【００４３】
携帯型コンソール３１は、タブレット端末により構成されており、正面には画面表示とタッチ操作とが可能なタッチパネル３１ａが設けられている。タッチパネル３１ａは、本発明の表示部に相当する。また、携帯型コンソール３１は、無線方式により、放射線画像検出装置３０及び通信ネットワーク１３と通信可能に接続されている。携帯型コンソール３１は、一般的なデスクトップ型のコンソールに比べて小型、軽量で携帯性が高いので、動物病院内で容易に携帯することができ、携帯型コンソール３１を手に持った状態で操作を行うことができる。
【００４４】
また、図２に示すように、携帯型コンソール３１は、獣医師Ｄが台板２２上で患畜Ｐを押さえながら放射線画像を撮影するような場合には、獣医師Ｄから離れた位置に立てた状態で配置される場合もある。なお、図では、台板２２上に携帯型コンソール３１を立て掛けて配置する例を示しているが、患畜Ｐが暴れるおそれがある場合、体液や排出物等で携帯型コンソール３１が汚損されるおそれがある場合には、撮影台１５の近くに置かれた台の上などに携帯型コンソール３１が配置される場合もある。
【００４５】
携帯型コンソール３１は、画像検査を行うための画像検査モードと、過去に行われた画像検査の放射線画像を閲覧するための画像閲覧モードという、２種類の動作モードを備えている。携帯型コンソール３１は、画像検査モードと画像閲覧モードのいずれかに切り換えられて、画像検査または放射線画像の閲覧に利用される。
【００４６】
画像検査モードに切り換えられた携帯型コンソール３１は、患畜Ｐを識別する患畜ＩＤの入力と、放射線画像を取得するための放射線画像取得メニューの登録とを受け付ける。入力及び登録が受け付けられた患畜ＩＤ及び放射線画像取得メニューは、タッチパネル３１ａに表示される。放射線画像取得メニューの登録時には、放射線画像の撮影内容を表す情報として、患畜Ｐの種類を表す患畜種情報と、放射線画像の撮影に利用される撮影手技を表す手技情報とが設定される。患畜種情報は、例えば、犬、猫、鳥類及び爬虫類などの動物の種類と、サイズなどを含む。手技情報は、胸部、腹部及び頭部などの撮影部位と、正面、側面及び斜めなどの撮影方向とを含む。患畜種情報及び手技情報は、放射線画像検出装置３０に送信され、上述した信号処理の条件設定に利用される。放射線画像検出装置３０は、信号処理の条件設定後、携帯型コンソール３１に検出準備が終了したことを表す準備完了信号を送信する。これにより、獣医師Ｄは、携帯型コンソール３１で放射線画像検出装置３０の検出準備が完了したことを確認することができる。
【００４７】
また、画像検査モードに切り換えられた携帯型コンソール３１は、放射線画像検出装置３０から放射線画像を受信し、受信した放射線画像をタッチパネル３１ａに表示する。画像検査の終了後、放射線画像は、携帯型コンソール３１から画像サーバ１２に送信される。
【００４８】
画像検査モードに切り換えられた携帯型コンソール３１は、さらに、患畜Ｐの光学画像の撮影にも利用される。タッチパネル３１ａには、光学画像を取得するための光学画像取得メニューが表示される。また、撮影された患畜Ｐの光学画像も、タッチパネル３１ａに表示される。患畜Ｐの光学画像は、例えば、画像検査の開始直前に撮影室内あるいは処置室内で撮影される。光学画像の撮影後、携帯型コンソール３１は、獣医師Ｄにより撮影室以外の場所で待機する飼い主のところまで運ばれ、携帯型コンソール３１に表示されている患畜Ｐの光学画像が飼い主に見せられる。これにより、獣医師Ｄは、これから放射線画像を撮影する患畜Ｐを他の患畜と間違えてしまうのを防止することができ、人間と同等に撮影前の本人確認を行うことができる。
【００４９】
また、獣医師Ｄは、放射線画像の撮影を行う際に、目の前にいる患畜Ｐと、携帯型コンソール３１に表示されている光学画像とを見比べて確認することができるので、患畜ＩＤだけが表示されている状態に比べ、患畜Ｐの取り違えを防止することができる。さらに、患畜Ｐの光学画像は、携帯型コンソール３１に表示された放射線画像を飼い主に見せながら説明を行う際にも、同じ画面上に表示されているので、飼い主は、これから説明を受ける放射線画像が自身のペットのものであることを確認することができる。さらに、患畜Ｐの光学画像は、画像閲覧モードにおいて過去の画像検査の放射線画像を閲覧する際にも表示されるので、獣医師Ｄによる患畜Ｐの把握が容易になる。
【００５０】
なお、患畜Ｐの光学画像は、患畜Ｐの識別が可能な部位が撮影されていればよい。例えば、患畜Ｐが顔で識別が可能な場合には、患畜Ｐの顔画像が撮影され、患畜Ｐの体毛の色や模様などにより識別が可能な場合には、体毛や模様などの識別可能な部分が撮影される。患畜Ｐの光学画像は、画像サーバ１２に放射線画像を送信する際に一緒に送信される。
【００５１】
画像閲覧モードに切り換えられた携帯型コンソール３１は、画像サーバ１２に配信要求を送信し、この配信要求に応じて配信された過去の放射線画像及び光学画像を受信する。受信した放射線画像及び光学画像は、タッチパネル３１ａに表示される。
【００５２】
画像サーバ１２は、携帯型コンソール３１から受信した放射線画像及び光学画像を管理するサーバである。本実施形態では、動物病院内に画像サーバ１２が設置されている例について説明するが、動物病院外のデータセンタなどに設置されていてもよい。画像サーバ１２は、放射線画像を格納する放射線画像ＤＢ（Data Base）３３と、光学画像を格納する光学画像ＤＢ３４とを備えている。画像サーバ１２は、携帯型コンソール３１から受信した放射線画像及び光学画像を放射線画像ＤＢ３３及び光学画像ＤＢ３４に格納する。また、画像サーバ１２は、画像閲覧モードに切り換えられた携帯型コンソール３１からの配信要求に応じて、放射線画像ＤＢ３３及び光学画像ＤＢ３４を検索し、見つかった放射線画像及び光学画像を携帯型コンソール３１に配信する。
【００５３】
図３に示すように、放射線画像検出装置３０は、センサーパネル３７と、センサーパネル３７を収容する可搬型の筐体３８とを備えている。筐体３８は、放射線の入射面となる前面３８ａと反対側の背面３８ｂの平面形状が矩形状である。前面３８ａには、放射線を透過する透過板３９が設けられている。
【００５４】
センサーパネル３７は、シンチレータ及び光電変換部（図示せず）を有する間接変換型である。シンチレータは、放射線を可視光に変換し、光電変換部は、可視光を電気信号に変換する。光電変換部は、ＴＦＴアクティブマトリクス基板であり、放射線の入射線量に応じた電荷を蓄積する複数の画素が二次元に配列された撮像領域を有している。画素は、フォトダイオード及びＴＦＴで構成される。シンチレータには、ヨウ化セシウムなどの蛍光体が用いられており、撮像領域の全面と対面するように配置される。
【００５５】
筐体３８内には、センサーパネル３７の他、制御回路基板、通信制御回路及びバッテリ（図示せず）なども設けられている。制御回路基板は、センサーパネル３７の光電変換部を駆動するゲートドライバや、光電変換部から画像信号を読み出す読み出し回路、読み出した画像信号をデジタルな放射線画像のデータに変換するＡ／Ｄコンバータ、放射線画像を記憶するメモリなどを有する。通信制御回路は、携帯型コンソール３１と無線通信を行う無線通信回路を備えている。バッテリは、センサーパネル３７などの各部に電力を供給する。放射線画像検出装置３０は、無線通信回路を備えるワイヤレスタイプであり、バッテリにより電源ケーブルも不要となっているため、取り扱い性がよい。
【００５６】
図４に示すように、放射線画像ＤＢ３３には、放射線撮影システム１１で撮影された少なくとも１枚の放射線画像を含む複数の検査データが格納されている。放射線画像には、患畜Ｐを識別するための患畜ＩＤが付与されており、患畜ＩＤで放射線画像を検索することが可能である。画像検査においては、１回の検査で異なる撮影部位や撮影方向から複数枚の放射線画像が撮影される場合がある。１回の検査で取得された複数枚の放射線画像には、同じ検査ＩＤが付与されて１件の放射線画像として管理される。また、検査データ内の放射線画像は、画像検査が実施された日時毎に管理される。各放射線画像には、属性情報が付与されている。この属性情報には、放射線画像取得メニューの登録時に設定された患畜種情報及び手技情報の内容が登録されている。
【００５７】
図５に示すように、光学画像ＤＢ３４には、患畜Ｐの光学画像を含む患畜画像データが格納されている。光学画像には患畜ＩＤが付与されており、患畜ＩＤで光学画像を検索することが可能である。なお、光学画像による識別が難しい患畜Ｐの場合には、１回の検査で複数枚の光学画像が撮影される場合がある。また、光学画像は、患畜Ｐの確認のためだけではなく、患畜Ｐの怪我の状態や皮膚の状態などを記録するために利用される場合があり、このような場合にも１回の検査で複数枚の光学画像が撮影されることがある。１回の検査で撮影された複数枚の光学画像には、同じ検査ＩＤが付与されて１件の光学画像として管理される。また、患畜画像データ内の各光学画像は、画像検査が実施された日時毎に管理される。
【００５８】
図６に示すように、携帯型コンソール３１は、長方形のタッチパネル３１ａが横向きになる状態、あるいは縦向きになる状態で使用される。携帯型コンソール３１の背面には、患畜Ｐの光学画像の撮影に用いられる光学画像撮影部３１ｂが設けられている。タッチパネル３１ａには、画像検査に用いられる検査画面５６などの各種画面が表示される。検査画面５６には、上述した光学画像取得メニュー６１、放射線画像取得メニュー６２などが一覧可能に表示される一覧表示領域５９が設けられている。放射線画像取得メニュー６２は、例えば、横長の長方形状の表示領域６２ａと、放射線画像取得メニュー６２に設定された患畜種及び撮影手技を表すように表示領域６２ａ内に表示された文字６２ｂとを備える。表示領域６２ａはタッチ操作可能な操作領域となっている。
【００５９】
携帯型コンソール３１のベースとなるタブレット端末には、タッチパネル３１ａのサイズが、長辺（Ｌ）＝２６０ｍｍ以下、及び短辺（Ｓ）＝１８０ｍｍ以下という、いわゆる画面サイズが１２インチ以下のタッチパネルを備えるタブレット端末が用いられている。タッチパネル３１ａのサイズを１２インチ以下としたのは、患畜Ｐを押さえながら携帯型コンソール３１を操作する際の取り扱いやすさと、患畜Ｐの光学画像や放射線画像を飼い主に見せるために携帯型コンソール３１を持ち運ぶ際の携帯性とを考慮したためである。なお、検査画面５６の操作性や放射線画像の視認性を確保するために、タッチパネル３１ａにはある程度のサイズが求められるので、タッチパネル３１ａのサイズは、例えば７インチ以上であることが好ましい。
【００６０】
上述したように、携帯型コンソール３１は、手に持って操作されるだけではなく、獣医師Ｄから離れた位置に置いた状態で使用されることがある。携帯型コンソール３１を離れた位置に置いて使用する場合、タッチパネル３１ａに表示される文字６２ｂのサイズが小さすぎると獣医師Ｄによる視認性が悪化する。そのため、本実施形態の携帯型コンソール３１では、メニュー内に表示される文字６２ｂの高さＴ１及び幅Ｔ２のサイズを、それぞれ５ｍｍ以上としている。また、文字６２ｂの高さＴ１及び幅Ｔ２が大きすぎる場合には、患畜Ｐの放射線画像や光学画像などを表示する領域が狭くなってしまうので、文字６２ｂの高さＴ１及び幅Ｔ２は、例えばそれぞれ２０ｍｍ以下であることが好ましい。
【００６１】
なお、文字６２ｂの高さＴ１及び幅Ｔ２は、視認性実験に基づいて決定されている。この視認性実験では、被験者から所定の距離だけ離れた位置に携帯型コンソール３１を配置し、高さＴ１及び幅Ｔ２の異なる文字６２ｂを順次に表示して、各文字サイズにおける被験者の視認性を測定した。また、被験者と携帯型コンソール３１との距離は、動物病院において、携帯型コンソール３１が獣医師Ｄから最大限離れた位置で使用される場合の距離を測定し、例えば１ｍとした。この視認性実験の結果、文字６２ｂの高さＴ１及び幅Ｔ２がそれぞれ５ｍｍ以上であれば視認可能であることが分かった。
【００６２】
また、携帯型コンソール３１は、タッチパネル３１ａを指などで触れて操作するため、タッチ操作される操作領域が極端に小さくなると、誤操作が発生しやすくなる。そこで、本実施形態では、例えば、放射線画像取得メニュー６２の操作領域である表示領域６２ａの高さＨ及び幅Ｗのサイズをそれぞれ１３ｍｍ以上としている。
【００６３】
携帯型コンソール３１は、上述した１２インチ以下の画面サイズのタッチパネル３１ａを備えるタブレット端末をベースに、オペレーティングシステムなどの制御プログラムや、アプリケーションプログラムなどをインストールして構成されている。図７に示すように、携帯型コンソール３１は、タッチパネル３１ａの他、光学画像撮影部３１ｂ、ＣＰＵ３１ｃ、メモリ３１ｄ、ストレージデバイス３１ｅ、音声入出力部３１ｋ、無線通信部３１ｆを備えている。タッチパネル３１ａ、光学画像撮影部３１ｂ、ＣＰＵ３１ｃ、メモリ３１ｄ、ストレージデバイス３１ｅ、音声入出力部３１ｋ及び無線通信部３１ｆは、データバス３１ｇを介して接続されている。
【００６４】
タッチパネル３１ａは、表示部である液晶ディスプレイ（ＬＣＤ；Liquid Crystal Display）３１ｈと、ＬＣＤ３１ｈに対する接触を検出するタッチセンサ３１ｉとで構成されている。携帯型コンソール３１は、ＬＣＤ３１ｈに表示された画面に対するタッチ操作をタッチセンサ３１ｉによって検出することにより、操作入力を受け付ける。光学画像撮影部３１ｂは、ベースとなるタブレット端末に予め設けられたものであり、詳しくは図示しないが、撮影レンズと、撮影レンズにより結像された像を撮像する撮像素子とを備えている。
【００６５】
ストレージデバイス３１ｅは、各種データを格納するデバイスであり、例えば、不揮発性メモリで構成されている。ストレージデバイス３１ｅには、上述した制御プログラム（図示せず）と、携帯型コンソール用プログラム３１ｊ（以下、コンソールプログラムという）とが格納されている。コンソールプログラム３１ｊは、タブレット端末を携帯型コンソール３１として動作させるアプリケーションプログラムである。また、ストレージデバイス３１ｅには、コンソールプログラム３１ｊなどの他、放射線画像検出装置３０や画像サーバ１２から受信した放射線画像や、光学画像撮影部３１ｂで撮影された光学画像などが格納される。
【００６６】
メモリ３１ｄは、ＣＰＵ３１ｃが処理を実行するためのワークメモリである。ＣＰＵ３１ｃは、ストレージデバイス３１ｅに格納された制御プログラム及びコンソールプログラム３１ｊをメモリ３１ｄへロードして、プログラムに従った処理を実行することにより、タブレット端末の各部を統括的に制御する。音声入出力部３１ｋは、音声データの入力及び出力を行う処理回路である。音声データの出力には、図示しないスピーカーから音声を出力することも含まれる。無線通信部３１ｆは、通信ネットワーク１３及び放射線画像検出装置３０に無線接続するための通信インタフェースである。
【００６７】
携帯型コンソール３１でコンソールプログラム３１ｊを起動すると、ＣＰＵ３１ｃは、図８に示すように、表示制御部４２、モード設定部４３、ＩＤ受付部４４、メニュー登録部４５、光学画像取得部４６、放射線画像取得部４７、写損処理部４８、トリミング処理部４９、及びコメント処理部５０として機能する。表示制御部４２は、携帯型コンソール３１の動作に応じて、モード設定画面、検査画面５６、画像表示画面などの画面を生成し、タッチパネル３１ａに表示させる。モード設定部４３は、タッチパネル３１ａにより検出されたモード選択操作に応じて、動作モードを画像検査モードと画像閲覧モードのいずれかに設定する。
【００６８】
ＩＤ受付部４４は、タッチパネル３１ａにより検出されたＩＤ入力操作に応じて、患畜Ｐを識別する患畜ＩＤを受け付けるＩＤ受付処理を行う。メニュー登録部４５は、タッチパネル３１ａにより検出されたメニュー登録操作に応じて、放射線画像取得メニューを登録するためのメニュー登録処理を行う。光学画像取得部４６は、タッチパネル３１ａにより検出された光学画像取得操作に応じて、患畜Ｐの光学画像を取得するための光学画像取得処理を行う。放射線画像取得部４７は、タッチパネル３１ａにより検出された放射線画像取得操作に応じて、患畜Ｐの放射線画像を取得するための放射線画像取得処理を行う。
【００６９】
写損処理部４８は、タッチパネル３１ａにより検出された写損操作に応じて、撮影された放射線画像を画像検査に利用されない写損画像として設定する写損処理を行う。トリミング処理部４９は、タッチパネル３１ａにより検出されたトリミング操作に応じて、放射線画像の所定領域内を抽出するトリミング処理を行う。コメント処理部５０は、タッチパネル３１ａにより検出されたコメント入力操作に応じて、放射線画像にコメントを付加するコメント処理を行う。
【００７０】
図９に示すように、携帯型コンソール３１では、動作モードを設定するモード設定処理（Ｓ１０）が行われる。モード設定処理で画像検査モードに設定された場合には、患畜ＩＤを受け付けるＩＤ受付処理（Ｓ１１）、放射線画像取得メニューを登録するメニュー登録処理（Ｓ１２）、患畜Ｐの光学画像を取得する光学画像取得処理（Ｓ１３）、患畜Ｐの放射線画像を取得する放射線画像取得処理（Ｓ１４）が順に実施される。表示制御部４２は、各処理の結果に基づいて画面を生成し、生成した画面をタッチパネル３１ａに表示する。なお、メニュー登録処理（Ｓ１２）と、光学画像取得処理（Ｓ１３）は、獣医師Ｄにより操作順序を変えられた場合には、処理の順序が逆になる場合もある。また、モード設定処理で画像閲覧モードに設定された場合には、ＩＤ受付処理（Ｓ１５）と、画像サーバ１２から光学画像及び放射線画像が取得される、光学画像取得処理（Ｓ１６）及び放射線画像取得処理（Ｓ１７）が実施される。各処理は、各処理にて受け付けた患畜ＩＤや、登録された放射線画像取得メニュー、取得された光学画像及び放射線画像などをタッチパネル３１ａに表示する表示処理を含んでいる。
【００７１】
図１０に示すように、表示制御部４２は、モード設定処理において、タッチパネル３１ａにＧＵＩ（Graphical User Interface）による操作機能を備えたモード設定画面５１を表示する。モード設定画面５１などの各種画面は、タッチパネル３１ａに獣医師Ｄが指などで接触することにより操作される。モード設定画面５１は、画像検査ボタン５２、画像閲覧ボタン５３及び終了ボタン５４を備えている。画像検査ボタン５２は、携帯型コンソール３１を画像検査モードに切り換えるボタンである。画像閲覧ボタン５３は、携帯型コンソール３１を画像閲覧モードに切り換えるボタンである。終了ボタン５４は、コンソールプログラム３１ｊを終了させるボタンである。モード設定部４３は、モード設定画面５１のモード設定操作に応じて、携帯型コンソール３１の動作モードを設定する。
【００７２】
モード設定画面５１で画像検査ボタン５２が操作され、携帯型コンソール３１が画像検査モードに切り換えられた場合には、図１１に示すように、表示制御部４２は、タッチパネル３１ａの表示をモード設定画面５１から、画像検査用の検査画面５６に切り替える。検査画面５６は、画面上部から順に、ＩＤ入力領域５７と、ステイタス表示領域５８と、一覧表示領域５９と、完了ボタン表示領域６０とを備えている。
【００７３】
ＩＤ入力領域５７には、ＩＤ受付処理に用いられるＩＤ入力部６８が設けられている。ＩＤ入力部６８は、タッチ操作されると患畜ＩＤが入力可能な入力受付状態に遷移し、文字入力に伴って移動するカーソルが表示される。また、検査画面５６の下部、例えば一覧表示領域５９に重なる位置には、患畜ＩＤの入力に利用されるソフトウェアキーボード（図示せず）が表示される。ＩＤ入力部６８は、予め決められた文字数の患畜ＩＤが入力されると、入力受付状態からＩＤ表示状態に遷移し、入力された患畜ＩＤを表示する。ＩＤ受付部４４は、ＩＤ受付処理において、ＩＤ入力部６８から入力された患畜ＩＤを受け付ける。
【００７４】
電子カルテシステムが導入されている動物病院では、放射線画像検査システム１０を電子カルテシステムに接続することにより、電子カルテシステムから患畜ＩＤを取得することができる。しかしながら、動物病院は、電子カルテシステムを導入せずに紙の診療簿によって患畜Ｐの診療情報を記録及び管理していることが多い。そのため、本実施形態では、電子カルテシステムが導入されていない大多数の動物病院に対応するために、患畜ＩＤの入力を手作業で行うＩＤ入力部６８を備えている。なお、患畜ＩＤを手作業で入力する場合、当然ながら入力ミスの発生が懸念される。しかし、ＩＤ入力部６８は、入力された患畜ＩＤを検査画面５６に継続的に表示するので、患畜ＩＤの入力後にも入力ミスを気づかせることができる。また入力された患畜ＩＤに対応する光学画像を検査画面５６に表示するので、光学画像との照合により入力ミスに気付きやすくなる。
【００７５】
ステイタス表示領域５８は、一覧表示領域５９の状態に応じたメッセージが表示される領域である。例えば、一覧表示領域５９に放射線画像取得メニューが登録されていない場合、あるいは一覧表示領域５９に登録されている放射線画像取得メニューについて放射線画像の撮影が全て終了している場合には、ステイタス表示領域５８には、「メニューを登録してください」というメッセージが表示される。また、一覧表示領域５９に未撮影の放射線画像取得メニューがあり、この放射線画像取得メニューに対応する準備完了信号を放射線画像検出装置３０から受信している場合には、ステイタス表示領域５８には、「撮影可能です」というメッセージが表示される。
【００７６】
一覧表示領域５９には、患畜Ｐの光学画像を取得するための光学画像取得メニュー６１と、上述した放射線画像取得メニュー６２、６３とが一覧可能に表示される。さらに、一覧表示領域５９には、光学画像取得メニュー６１に基づいて取得された患畜Ｐの光学画像６４と、放射線画像取得メニュー６２、６３に基づいて取得された患畜Ｐの放射線画像６５、６６も一覧可能に表示される。画像検査モードに切り換えた直後の一覧表示領域５９には、光学画像取得メニュー６１のみが表示される。放射線画像取得メニュー６２、６３は、上述したメニュー登録処理によって一覧表示領域５９に表示される。さらに、光学画像６４及び放射線画像６５、６６は、光学画像取得処理及び放射線画像取得処理によって一覧表示領域５９に追加表示される。
【００７７】
このように、光学画像取得メニュー６１、放射線画像取得メニュー６２、６３、光学画像６４、放射線画像６５、６６の４種類が同一の画面上に一覧で表示されることで、獣医師Ｄは、画像検査において現在何をどこまで完了しているかなどの画像検査の進捗状況を一目で把握することができる。また、画像検査の進捗状況を踏まえた上で、光学画像取得メニュー６１や放射線画像取得メニュー６２、６３を操作することにより、即座に次の作業を開始することができる。したがって、画像検査の進捗が確認できる画像と、メニューとを同一画面上に全て表示することで作業性を格段によくすることができる。
【００７８】
光学画像取得メニュー６１は、横長の長方形状の表示領域６１ａと、表示領域６１ａ内に表示されたアイコン６１ｂとを有し、光学画像取得処理に用いられる。表示領域６１ａは、光学画像取得メニュー６１をタッチ操作するための操作領域にもなっている。アイコン６１ｂには、光学画像の撮影をイメージさせるような図形が用いられる。例えば、図６に示す例では、カメラを表す図形がアイコン６１ｂに用いられている。なお、アイコン６１ｂの代わりに、表示領域６１ａ内に「光学画像取得メニュー」などの文字を表示してもよい。
【００７９】
光学画像取得メニュー６１が操作されると、光学画像取得処理が開始される。表示制御部４２は、タッチパネル３１ａの表示を検査画面５６から、患畜Ｐの光学画像を撮影するためのライブビュー画面（図示せず）に切り替える。また、光学画像取得部４６は、光学画像撮影部３１ｂを起動させ、患畜Ｐのライブビュー画像の撮影を開始させる。ライブビュー画面には、光学画像撮影部３１ｂにより撮影された患畜Ｐのライブビュー画像が表示される。なお、ライブビュー画像とは、撮影者がシャッタボタンを押して光学画像を撮影する前に、画角や被写体などを確認できるように、撮像素子から出力された画像を記録メディア等に記録せずに画面表示される画像をいう。したがって、ライブビュー画面には、動画のライブビュー画像が表示される。
【００８０】
ライブビュー画面には、患畜Ｐの光学画像を撮影するためのシャッタボタン（図示せず）が設けられている。ライブビュー画面でシャッタボタンが操作されると、光学画像撮影部３１ｂにより患畜Ｐの光学画像が撮影される。表示制御部４２は、タッチパネル３１ａの表示をライブビュー画面から、検査画面５６に切り替える。また、表示制御部４２は、撮影された光学画像からサイズを縮小した光学画像６４を作成し、光学画像６４の少なくとも患畜Ｐの確認が可能な領域が光学画像取得メニュー６１と重ならないように、一覧表示領域５９に表示する。これにより、一覧表示領域５９における光学画像６４の表示スペースが小さくなるので、光学画像取得メニュー６１などを一覧表示領域５９に視認性よく表示することができる。なお、図６に示す例では、一覧表示領域５９に余裕があるので、光学画像取得メニュー６１に重ならないように、光学画像取得メニュー６１と同じサイズで光学画像６４を表示している。
【００８１】
放射線画像取得メニュー６２、６３は、横長の長方形状の表示領域６２ａ、６３ａをそれぞれ備えている。表示領域６２ａ、６３ａは、放射線画像取得メニュー６２、６３の操作領域にもなっている。表示領域６２ａ、６３ａ内には、放射線画像取得メニューの登録時に設定された患畜種、撮影部位及び撮影方向を表す文字６２ｂ、６３ｂが表示される。複数個の放射線画像取得メニュー６２、６３のうち、次に放射線画像が撮影される放射線画像取得メニューには、図６に示すように、撮影アイコン６７が表示される。図６に示す例では、撮影アイコン６７には、放射線源をイメージさせる図形が用いられている。
【００８２】
表示制御部４２は、放射線画像取得メニュー６２、６３に基づいて検出された放射線画像を放射線画像検出装置３０から受信した場合に、受信した放射線画像からサイズを縮小した放射線画像６５、６６を作成し、放射線画像６５、６６の少なくとも一部が放射線画像取得メニュー６２、６３と重なるように、一覧表示領域５９に表示する。これにより、一覧表示領域５９における放射線画像６５、６６の表示スペースが小さくなるので、放射線画像取得メニュー６２などを一覧表示領域５９に視認性よく表示することができる。なお、図６に示す例では、放射線画像取得メニュー６２、６３の表示領域６２ａ、６３ａに余裕があるため、放射線画像６５、６６は、表示領域６２ａ、６３ａ内に納まるように表示されている。
【００８３】
完了ボタン表示領域６０は、画像検査の完了を指示するための完了ボタン６９が表示される領域である。完了ボタン６９は、一覧表示領域５９に登録されている放射線画像取得メニュー６２、６３について放射線画像の撮影が全て終了した場合に、完了ボタン表示領域６０に表示される。完了ボタン６９が操作されると、携帯型コンソール３１は、放射線画像検出装置３０から受信した患畜Ｐの放射線画像と、撮影された光学画像とを画像サーバ１２に送信する。また、携帯型コンソール３１は、画像検査モードを終了してモード設定処理に戻る。タッチパネル３１ａには、モード設定画面５１（図１０参照）が表示される。
【００８４】
ＩＤ入力領域５７に設けられているメニュー登録ボタン７０は、メニュー登録処理に用いられるボタンである。図１２に示すように、メニュー登録ボタン７０が操作されると、検査画面５６に重畳するように、患畜種指定リスト７２が表示される。患畜種指定リスト７２には、大型犬や中型犬を表す「大型」、「中型」、小型犬や猫を表す「小型」など、患畜の種類が選択可能にリスト表示される。患畜種指定リスト７２からいずれかの患畜種が選択されると、患畜種指定リスト７２に代わって、撮影部位指定リスト７３が表示される。撮影部位指定リスト７３には、「胸部」、「腹部」、「頭部」など、撮影部位の種類が選択可能にリスト表示される。
【００８５】
また、撮影部位指定リスト７３からいずれかの撮影部位が選択されると、撮影部位指定リスト７３に代わって、撮影方向指定リスト７４が表示される。撮影方向指定リスト７４には、「正面」、「側面」、「斜め」など、撮影方向の種類が選択可能にリスト表示される。図１２に示す例は、患畜種指定リスト７２、撮影部位指定リスト７３及び撮影方向指定リスト７４において、それぞれ「大型」、「胸部」及び「正面」が選択された状態を示している。患畜種指定リスト７２、撮影部位指定リスト７３及び撮影方向指定リスト７４は、選択部分の背景色が変化するので、獣医師Ｄは選択部分と非選択部分を明確に識別することができる。
【００８６】
撮影方向指定リスト７４からいずれかの撮影方向が選択されると、選択された患畜種、撮影部位及び撮影方向に対応した放射線画像取得メニュー６２、６３が携帯型コンソール３１に登録される。なお、メニュー登録は、上述した手順で行う以外に、ＩＤ入力領域５７に設けられている各種設定ボタン（図示せず）を操作して各種設定画面が開いた後に、各種設定画面に設けたメニュー登録ボタン７０を操作することで登録できるようにしておいてもよい。
【００８７】
図１１に示すように、登録された放射線画像取得メニュー６２、６３には、登録時に選択された患畜種、撮影部位及び撮影方向のそれぞれが、患畜種情報及び手技情報として付加される。また、登録された放射線画像取得メニュー６２、６３は、上述したように、一覧表示領域５９に一覧可能に表示される。登録時に設定された患畜種、撮影部位及び撮影方向は、文字６２ｂ、６３ｂにより表示される。例えば、放射線画像取得メニュー６２は、図１２に示す患畜種指定リスト７２、撮影部位指定リスト７３及び撮影方向指定リスト７４に基づいて登録されたものであり、表示領域６２ａ内には、登録時に設定された患畜種、撮影部位及び撮影方向として、「大型」、「胸部」及び「正面」が文字で表示されている。
【００８８】
携帯型コンソール３１は、放射線画像取得処理において、放射線画像取得メニュー６２、６３の登録順に、患畜種情報及び手技情報を放射線画像検出装置３０に送信する。また、携帯型コンソール３１は、放射線画像検出装置３０で患畜種情報及び手技情報に基づく信号処理の条件設定が終了した場合には、放射線画像検出装置３０から準備完了信号を受信する。表示制御部４２は、準備完了信号を受信した場合には、ステイタス表示領域５８に、「撮影可能です」というメッセージを表示する。
【００８９】
なお、放射線画像の撮影は、放射線画像取得メニュー６２、６３の登録順に行われるが、検査画面５６上で放射線画像取得メニュー６２、６３を選択することにより、撮影順序（取得順序）を変更することができる。例えば、放射線画像取得メニュー６２の撮影準備が完了している状態で、放射線画像取得メニュー６３をタッチ操作すると、放射線画像取得メニュー６２内の撮影アイコン６７が消去され、代わりに放射線画像取得メニュー６３内に撮影アイコン６７が表示される。また、放射線画像取得メニュー６３の患畜種情報及び手技情報が放射線画像検出装置３０に送信され、信号処理の条件設定などの撮影準備が行われる。
【００９０】
なお、携帯型コンソール３１に登録される放射線画像取得メニューの数は２個に限定されず、１回の画像検査で撮影される放射線画像の枚数に応じて１個、あるいは３個以上の放射線画像取得メニューが登録される場合がある。複数個の放射線画像取得メニューが登録されて一覧表示領域５９に一覧表示できない場合には、一覧表示領域５９は、スクロール表示が可能なように切り換えられ、登録された全ての放射線画像取得メニューが確認可能となる。
【００９１】
表示制御部４２は、検査画面５６において、放射線画像取得メニュー６２、６３が一定時間以上タッチ操作された場合（以下、長押し操作という）、あるいは放射線画像検出装置３０から放射線画像を受信した場合に、図１３に示すように、タッチパネル３１ａの表示を検査画面５６から画像表示画面７７に切り替える。画像表示画面７７は、放射線画像取得処理や、飼い主に対する放射線画像の説明に利用される画面であり、放射線画像が表示される画像表示領域７８と、画像表示領域７８の上部に設けられた患畜ＩＤ及びステイタス情報の表示領域７９、８０とを備えている。未撮影の放射線画像取得メニュー６２、６３が長押し操作されて画像表示画面７７に切り替えられた場合には、画像表示領域７８には何も表示されない。これに対し、放射線画像検出装置３０から放射線画像を受信した場合、あるいは撮影済みの放射線画像取得メニュー６２、６３が長押し操作された場合には、画像表示領域７８に放射線画像６５Ａが表示される。
【００９２】
また、表示制御部４２は、画像表示領域７８に放射線画像６５Ａが表示されてから、予め設定されている表示待機時間の経過後に、複数の放射線画像取得メニューのうち、少なくとも次の放射線画像取得メニューを画像表示領域７８に表示する。次の放射線画像取得メニューとは、画像表示療域７８に表示中の放射線画像６５Ａの次に撮影される放射線画像を取得するための放射線画像取得メニューである。図１４に示すように、次の放射線画像取得メニュー８２は、表示領域を区切る枠線８２ａと、次に撮影される放射線画像の患畜種、撮影部位及び撮影方向を表す文字８２ｂと、撮影アイコン８２ｃとを備えている。なお、撮影アイコン８２ｃは省略してもよい。また、次の撮影内容さえ分かれば、患畜種、撮影部位及び撮影方向などの表示にもいかなる表示形態を用いてもよい。さらに、表示待機時間は、予め設定されているものでなくてもよく、例えば動的に変更するようにしてもよい。
【００９３】
次の放射線画像取得メニュー８２は、放射線画像６５Ａの周縁の余白部分に重なるように表示される。この周縁の余白部分は、放射線画像検出装置３０により放射線が直接検出された素抜け領域６５Ｂである。なお、図１４に示す例では、画像表示領域７８内に放射線画像取得メニュー６２に基づいて撮影された放射線画像６５Ａが表示されており、次の放射線画像取得メニュー８２には、放射線画像取得メニュー６３に対応するメニューが表示されている。また、次の放射線画像取得メニュー８２は、放射線画像６５Ａの右側上部に表示されている。
【００９４】
次の放射線画像取得メニュー８２に基づく撮影が行われた場合には、図１５に示すように、画像表示領域７８には、次の放射線画像取得メニュー８２に基づいて撮影された放射線画像６６Ａが表示される。なお、次の放射線画像取得メニュー８２に基づく撮影は、画像表示画面７７が表示されている状態で行ってもよいし、画像表示画面７８から検査画面５６に表示を切り換えてから行ってもよい。しかしながら、携帯型コンソール３１を獣医師Ｄから離れた位置に配置し、患畜Ｐの姿勢を撮影毎に変えながら複数枚の放射線画像を撮影するような場合には、画像表示画面７７で撮影を行うのが好ましい。画像表示画面７７であれば、放射線画像が大きなサイズで表示されるので、離れた位置からでも画像の確認を行うことができる。また、画像表示画面７７には、次の放射線画像取得メニュー８２が表示されるので、患畜Ｐから手を離すことなく、次に撮影される放射線画像の撮影内容を確認することができるため、携帯型コンソール３１に一切触れることなく連続的な撮影が可能となる。
【００９５】
表示制御部４２は、画像表示領域７８でタッチ操作した指を弾くように動かすフリック操作が行われた場合には、画像表示領域７８に表示されている放射線画像を切り替える。例えば、画像表示領域７８内で左方向にフリック操作がされた場合には、表示中の放射線画像よりも前に撮影された放射線画像を画像表示領域７８に表示する。また、画像表示領域７８内で右方向にフリック操作がされた場合には、表示中の放射線画像よりも後に撮影された放射線画像を画像表示領域７８に表示する。
【００９６】
また、次の放射線画像取得メニュー８２をフリック操作して、画像表示領域７８に表示されるメニューを切り替えることにより、放射線画像の撮影順序（取得順序）を変更することができる。例えば、次の放射線画像取得メニュー８２の撮影準備が完了している状態で、次の放射線画像取得メニュー８２をフリック操作すると、次の放射線画像取得メニュー８２が消去され、その次に撮影が予定されている別の放射線画像取得メニューが、新たな次の放射線画像取得メニューとして放射線画像６５Ａに重なるように表示される。
【００９７】
また、表示制御部４２は、画像表示領域７８で２本の指の間隔狭めるピンチイン操作や、２本の指の間隔を広げるピンチアウト操作がされた場合には、表示されている放射線画像の縮小表示や、拡大表示を行う。また画像表示領域７８で指を水平方向に掃くように動かすスワイプ操作や、垂直方向のスワイプ操作がされた場合には、表示されている放射線画像の濃度の調整や、コントラストの調整を行う。例えば垂直方向のスワイプの場合は濃度の調整を行い、水平方向のスワイプの場合にはコントラストの調整を行う。あるいはその逆でもよい。
【００９８】
画像表示画面７７において、画像表示領域７８をタッチ操作すると、画像表示領域７８の下部には、切替ボタン８４ａ、写損ボタン８４ｂ、トリミングボタン８４ｃ、コメントボタン８４ｄ、完了ボタン８４ｅが表示される。切替ボタン８４ａは、画像表示画面７７を検査画面５６に切り替える際に操作される。切替ボタン８４ａが操作された場合には、タッチパネル３１ａの表示は、画像表示画面７７から検査画面５６に切り替えられる。
【００９９】
写損ボタン８４ｂは、放射線画像を画像検査に利用しない写損画像に設定する場合に操作される。写損ボタン８４ｂが操作されると、画像表示領域７８に表示されている放射線画像は、写損画像に設定される。また、図１６に示すように、検査画面５６では、写損画像に設定された放射線画像の放射線画像取得メニュー６３に、写損画像であることが分かるようにするために、２本の対角線６３ｄが表示される。また、写損画像と同じ患畜種情報及び手技情報が設定された再撮影用の放射線画像取得メニュー８６が自動的に登録され、一覧表示領域５９に表示される。携帯型コンソール３１から放射線画像検出装置３０には、放射線画像取得メニュー８６の患畜種情報及び手技情報が送信されるので、写損画像の再撮影を簡単に行うことができる。
【０１００】
トリミングボタン８４ｃは、放射線画像のトリミングを行う際に操作される。トリミングボタン８４ｃが操作されると、画像表示領域７８内に矩形のトリミング枠（図示せず）が表示される。このトリミング枠の位置及び大きさを調整して、トリミング指示を行うと、トリミングした領域の情報が保存される。コメントボタン８４ｄは、放射線画像にコメントを付与する場合に操作される。コメントボタン８４ｄが操作されると、画像表示画面７７に重畳されるようにコメント画面と、コメント画面にコメントを入力するためのソフトウェアキーボードが表示される。コメント画面に入力されたコメントは、放射線画像のメタデータとして記録される。完了ボタン８４ｅは、上述した完了ボタン６９と同様に、画像検査の完了を指示するためボタンである。完了ボタン８４ｅが操作されると、携帯型コンソール３１は、画像サーバ１２に患畜Ｐの放射線画像及び光学画像を送信して保存し、検査画面５６に戻る。また、検査画面５６では、患畜ＩＤが消去され、次の患畜の画像検査が可能となる。
【０１０１】
モード設定画面５１において画像閲覧モードが選択された場合には、画像検査モードと同様にＩＤ受付処理が行われる。次いで、光学画像取得部４６及び放射線画像取得部４７は、画像サーバ１２から、入力された患畜ＩＤに対応する放射線画像及び光学画像を取得する。表示制御部４２は、タッチパネル３１ａに検査画面５６とほぼ同様の構成を有する閲覧画面（図示せず）を表示する。この閲覧画面では、光学画像は、光学画像取得メニューと重ならないように表示され、放射線画像は、少なくとも一部が放射線画像取得メニューと重なるように表示される。閲覧画面において放射線画像が選択されると、タッチパネル３１ａの表示は閲覧画面から、画像表示画面７７とほぼ同構成を有する画像表示画面（図示せず）に切り替えられ、選択された放射線画像が大きなサイズで表示される。これにより、過去の放射線画像を閲覧することができる。
【０１０２】
次に、図１７のフローチャートを参照して、放射線画像取得処理について説明する。放射線画像取得部４７は、一覧表示領域５９に登録されている複数の放射線画像取得メニュー６２、６３の患畜種情報及び手技情報を、登録順または変更された撮影順に放射線画像検出装置３０に送信する（Ｓ２０）。放射線画像検出装置３０は、携帯型コンソール３１から受信した患畜種情報及び手技情報と、線源制御装置２５から受信した撮影条件とに基づいて信号処理の処理条件を設定し、設定完了後に準備完了信号を携帯型コンソール３１に送信する。表示制御部４２は、準備完了信号を受信すると（Ｓ２１）、検査画面５６のステイタス表示領域５８に「撮影可能です」というメッセージを表示する。
【０１０３】
獣医師Ｄによる照射スイッチ２６の操作により、放射線源２４から患畜Ｐに放射線が照射され、放射線画像検出装置３０で放射線画像が検出される。放射線画像検出装置３０は、検出した放射線画像を携帯型コンソール３１に送信する。表示制御部４２は、放射線画像を受信すると（Ｓ２２）、図１３に示すように、検査画面５６を画像表示画面７７に切り替えて、画像表示領域７８に受信した放射線画像を表示する（Ｓ２３）。
【０１０４】
表示制御部４２は、画像表示領域７８に放射線画像を表示した後に、表示開始からの時間を測定し、予め設定されている表示待機時間が経過したか否かを判定する（Ｓ２４）。表示制御部４２は、表示待機時間が経過した場合には（Ｓ２４でＹＥＳ）、図１４に示すように、画像表示領域７８に表示されている放射線画像６５Ａに重なるように、次の放射線画像取得メニュー８２を表示する（Ｓ２５）。次の放射線画像取得メニューを表示するための処理は、検査画面５６に登録された全ての放射線画像取得メニューについての撮影が完了するまで繰り返される（Ｓ２６）。
【０１０５】
以上説明したように、本実施形態では、タッチパネル３１ａに放射線画像６５Ａを表示した後に、放射線画像６５Ａに重なるように次の放射線画像取得メニュー８２を表示している。したがって、最初の段階では、タッチパネル３１ａに放射線画像６５のみが表示されるので、放射線画像６５Ａの表示サイズを小さくする必要がなく、他の表示要素によって放射線画像６５Ａが隠されることもないので、放射線画像６５Ａを視認性よく表示することができる。また、放射線画像６５Ａの表示後に、次の放射線画像取得メニュー８２が表示されるので、患畜Ｐから手を離すことなく、次に撮影される放射線画像の撮影内容を確認することができる。さらに、次の放射線画像取得メニュー８２は、放射線画像６５Ａに重なるように表示されるので、放射線画像６５Ａと次の放射線画像取得メニュー８２の表示サイズを小さくしなくても両者を同時に表示することができる。したがって、放射線画像６５Ａ及び次の放射線画像取得メニュー８２を視認性よくタッチパネル３１ａに表示することができるので、携帯型コンソール３１から離れた位置からでも、放射線画像６５Ａ及び次の放射線画像取得メニュー８２を確認することができる。
【０１０６】
また、次の放射線画像取得メニュー８２は、放射線画像６５Ａの素抜け領域６５Ｂに重なるように表示されるので、放射線画像６５Ａが次の放射線画像取得メニュー８２によって隠れることもない。
【０１０７】
本実施形態では、放射線画像６５Ａの表示後、表示待機時間の経過後に次の放射線画像取得メニュー８２を表示するように説明したが、図１８に示すように、検査画面５６で未撮影の放射線画像取得メニュー６２、６３が長押し操作されて画像表示画面７７に切り替えられた場合には、放射線画像が表示される前の画像表示領域７８に対し、長押し操作された放射線画像取得メニュー６２、６３を、次の放射線画像取得メニュー８２として表示してもよい。これによれば、検査画面５６から画像表示画面７７に切り替えられた直後でも次の放射線画像取得メニューを確認することができる。
【０１０８】
本実施形態では、放射線画像６５Ａの素抜け領域６５Ｂに重なるように次の放射線画像取得メニュー８２を表示しているが、次の放射線画像取得メニュー８２の少なくとも一部または全部が放射線画像６５Ａに重なるように表示してもよい。次の放射線画像取得メニュー８２が全て放射線画像６５Ａに重なったとしても、放射線画像６５Ａの表示待機時間の経過後に次の放射線画像取得メニュー８２が表示されるので、放射線画像６５Ａと放射線画像取得メニュー８２の両方を問題なく確認することができる。また、素抜け領域６５Ｂの形状に応じて、素抜け領域６５Ｂ内に納まるように、次の放射線画像取得メニュー８２の形状や、表示位置などの表示形態を変更してもよい。
【０１０９】
図１９は、放射線画像６５Ａの向きが変更されて拡大表示されている場合を示しており、素抜け領域６５Ｃは、上述した素抜け領域６５Ｂよりも狭くなっている。この場合、表示制御部４２は、素抜け領域６５Ｃの形状に応じて、素抜け領域６５Ｃ内に納まるように、次の放射線画像取得メニュー８２の表示形状を縦長に変更している。これによれば、放射線画像の素抜け領域が狭い場合でも、視認性を低下させることなく放射線画像と次の放射線画像取得メニューとを表示することができる。また、次の放射線画像取得メニュー８２の表示位置は、放射線画像６５Ａの右側上部に限定されず、放射線画像６５Ａの視認性を損ねない位置であればどこでもよい。素抜け領域６５Ｃは、一般的な画像処理技術で認識をすることができる。
【０１１０】
また、本実施形態では、写損ボタン８４ｂが操作された場合に放射線画像の写損処理を行うようにしているが、画像表示画面７７に表示中の放射線画像と放射線画像取得メニューとが一致した場合に、写損ボタン８４ｂが操作された場合と同様の写損処理が行われるようにしてもよい。
【０１１１】
具体的には、図２０に示すように、画像表示画面７７に放射線画像６６Ａが表示されている状態でフリック操作により放射線画像取得メニューが変更され、撮影済みの放射線画像６６Ａの放射線画像取得メニュー６３が画像表示画面７７に表示される。ここで、撮影済みの放射線画像６６Ａの放射線画像取得メニュー６３は、現在の放射線画像取得メニューに相当する。つまり、フリック操作によって、次の放射線画像取得メニューが現在の放射線画像取得メニューに変更される。これにより、画像表示画面７７に表示中の放射線画像６６Ａと現在の放射線画像取得メニュー６３が一致するため、表示中の放射線画像６６Ａが写損画像に設定されて写損処理が行われる。
【０１１２】
図１６に示すように、写損処理部４８は、検査画面５６において、写損画像に設定された放射線画像６６Ａの放射線画像取得メニュー６３に２本の対角線６３ｄを表示させる。また、写損画像と同じ患畜種情報及び手技情報が設定された再撮影用の放射線画像取得メニュー８６が自動的に登録され、一覧表示領域５９に表示される。ここで、新たに登録された再撮影用の放射線画像取得メニュー８６は、現在の放射線画像取得メニューと同じ条件であるため、再撮影用の放射線画像取得メニュー８６の登録は、現在の放射線画像取得メニューに基づく放射線画像検出装置３０による再撮影が可能となることを意味する。携帯型コンソール３１から放射線画像検出装置３０には、再撮影用の放射線画像取得メニュー８６の患畜種情報及び手技情報が送信されるので、写損画像の再撮影を簡単に行うことができる。
【０１１３】
次に、本発明の第２〜第６実施形態について説明する。なお、第１実施形態と同一の構成については、同符号を用いて詳しい説明は省略する。
【０１１４】
［第２実施形態］
本実施形態は、放射線画像の表示を迅速に行えるようにするために、放射線画像検出装置で検出された放射線画像である本画像の他に、本画像よりもデータ量の小さな放射線画像であるプレビュー画像を携帯型コンソールに送信する放射線撮影装置において、次の放射線画像取得メニューを表示する処理を行うものである。図２１に示すように、本実施形態の放射線撮影装置９０は、検出した本画像９１に基づいてプレビュー画像９２を作成し、本画像９１及びプレビュー画像９２を送信する放射線画像検出装置９３と、本画像９１及びプレビュー画像９２を受信する携帯型コンソール３１とを備えている。プレビュー画像９２は、本画像９１のサイズを小さく、あるいは画質を落とすなどしてデータ量が小さくされており、本画像９１よりも送信時間が短くて済むので、本画像９１よりも先に携帯型コンソール３１による受信が完了する。
【０１１５】
図２２に示すように、携帯型コンソール３１の表示制御部４２は、放射線画像取得処理において、第１実施形態と同様に、患畜種情報及び手技情報の送信（Ｓ２０）と、準備完了信号の受信（Ｓ２１）とを終えた後に、実際に放射線の照射が行われて放射線画像が撮影されると、放射線画像検出装置９３からプレビュー画像９２を受信して（Ｓ３０）、図２３に示すように、画像表示画面７７にプレビュー画像９２を表示する（Ｓ３１）。また、表示制御部４２は、放射線画像検出装置９３から本画像９１を受信した場合には（Ｓ３２でＹＥＳ）、プレビュー画像９２から本画像９１に表示を切り替える際に、本画像９１に重なるように次の放射線画像取得メニュー８２を画像表示画面７７に表示する（Ｓ３３）。次の放射線画像取得メニュー８２は、第１実施形態と同様に、本画像９１の素抜け領域に重なるように表示される。
【０１１６】
本実施形態によれば、タッチパネル３１ａには、最初にプレビュー画像９２のみが表示されるので、プレビュー画像９２の表示サイズを小さくする必要がなく、他の表示要素によってプレビュー画像９２が隠れることもないので、プレビュー画像９２（放射線画像）を視認性よく表示することができる。また、プレビュー画像９２から本画像９１に表示が切り替わる際には、本画像９１とともに次の放射線画像取得メニュー８２がタッチパネル３１ａに表示されるので、患畜Ｐから手を離すことなく、次に撮影される放射線画像の撮影内容を確認することができる。
【０１１７】
この場合、プレビュー画像９２が表示されてから次の放射線画像取得メニュー８２が表示されるまでの時間は、本画像９１を受信するまでの時間に依存するため、第1実施形態で記載した表示待機時間のような予め設定されているものではなく、通信速度など環境に応じて変化する。あるいは、通信環境が良く本画像９１を受信するまでの時間が速すぎるような環境の場合には、本画像９１を受信する以上の値として、第1実施形態同様に例えば予め設定されている表示待機時間の経過後に、本画像９１と次の放射線画像取得メニュー８２を表示するようにしてもよい。この場合の表示待機時間は、少なくとも、プレビュー画像９２を視認できる時間を設定しておけばよい。
【０１１８】
さらに、次の放射線画像取得メニュー８２は、本画像９１に重なるように表示されるので、本画像９１と次の放射線画像取得メニュー８２の表示サイズを小さくしなくても両者を同時に表示することができる。したがって、本画像９１及び次の放射線画像取得メニュー８２を視認性よくタッチパネル３１ａに表示することができるので、携帯型コンソール３１から離れた位置からでも、本画像９１及び次の放射線画像取得メニュー８２を確認することができる。このように、医師や技師は、プレビュー画像９２で畜患のポジショニングが問題なかったかを確認し、問題なく次の撮影準備を行っている間に、本画像９１及び放射線画像取得メニュー８２が表示されるので、それを確認して次の撮影に進むことができる。
【０１１９】
［第３実施形態］
画像検査では、検査目的等に応じて、撮影が必要な放射線画像の種類、例えば撮影部位や撮影方向が予め標準的に決まっている場合がある。例えば、検査目的が人間の肺ガンの診断である場合には、撮影部位である胸部に対し、正面、側面及び斜方向など複数の撮影方向から放射線画像を撮影することが標準的に決められている。このように、必要な放射線画像が予め決まっている画像検査をミス無く行えるようにするために、複数の撮影部位や撮影方向の放射線画像を取得するためのサブメニューが予め複数設定されたセットメニューを、放射線画像取得メニューとして登録できるようにしたコンソールがある。本実施形態は、上述したセットメニューを次の放射線画像取得メニューとして表示するものである。
【０１２０】
図２４に示す検査画面５６では、メニュー登録処理により、放射線画像取得メニューとして、肺ガンの診断を目的とする胸部セットメニュー１００と、胃ガンの診断を目的とする腹部セットメニュー１０１とが登録され、一覧表示領域５９に一覧表示されている。図２５に示すように、胸部セットメニュー１００には、例えば、撮影部位が「胸部」、撮影方向がそれぞれ「正面」、「斜方向」及び「側面」とされた複数のサブメニュー１００ａ、１００ｂ、１００ｃが設定されている。また、図２６に示すように、腹部セットメニュー１０１にも、撮影部位が「腹部」、撮影方向がそれぞれ「正面」、「斜方向」及び「側面」とされた複数のサブメニュー１０１ａ、１０１ｂ、１０１ｃが設定されている。
【０１２１】
表示制御部４２は、胸部セットメニュー１００の最初のサブメニュー１００ａに基づいて撮影された放射線画像を受信した場合には、図２７に示すように、画像表示画面７７に受信した放射線画像１０３を表示する。また、表示制御部４２は、放射線画像１０３の表示から表示待機時間の経過後に、次の放射線画像取得メニューとして、胸部セットメニュー１００の残りのサブメニュー１００ｂ、１００ｃを放射線画像１０３に重なるように表示する。表示制御部４２は、サブメニューに基づいて撮影された放射線画像を受信する毎に、受信した放射線画像を画像表示画面７７に表示し、表示待機時間の経過後に残りのサブメニューを表示する。
【０１２２】
また、胸部セットメニュー１００の最後のサブメニュー１００ｃに基づいて撮影された放射線画像を受信した場合には、表示制御部４２は、受信した放射線画像１０５を画像表示画面７７に表示し、表示待機時間の経過後に、次の放射線画像取得メニューとして、腹部セットメニュー１０１の複数のサブメニュー１０１ａ〜１０１ｃを放射線画像１０５に重なるように表示する。このように、表示制御部４２は、セットメニューを構成する複数のサブメニューを、次の放射線画像取得メニューとして一覧できるように画像表示画面７７に表示する。
【０１２３】
本実施形態によれば、胸部セットメニュー１００及び腹部セットメニュー１０１などのセットメニュー毎に、複数のサブメニュー１００ａ〜１００ｃ及び１０１ａ〜１０１ｃが次の放射線画像取得メニューとして一覧できるように画像表示画面７７に表示されるので、セットメニューに基づく画像検査において必要な放射線画像の撮影内容を予め把握することができ、作業効率が向上する。また、画像表示画面７７には、撮影の進捗状況に合わせて、未撮影のサブメニューだけが表示されるので、次に撮影される放射線画像の撮影内容を確認することができる。
【０１２４】
［第４実施形態］
本実施形態は、画像表示画面７７に放射線画像を表示する際に、次の放射線像画像取得メニューとともに、表示中の放射線画像を取得するために登録された現在の放射線画像取得メニューを放射線画像に重なるように表示するものである。図２８に示すように、携帯型コンソール３１は、放射線画像取得処理において、第１実施形態と同様に、患畜種情報及び手技情報の送信（Ｓ２０）と、準備完了信号の受信（Ｓ２１）と、放射線画像の受信（Ｓ２２）とを行う。
【０１２５】
図２９に示すように、表示制御部４２は、放射線画像検出装置３０から受信した放射線画像６５Ａと、放射線画像６５Ａを取得するために登録された現在の放射線画像取得メニュー１１０とを、放射線画像６５Ａに現在の放射線画像取得メニュー１１０が重なるように、画像表示画面７７に表示する（Ｓ４０）。現在の放射線画像取得メニュー１１０は、放射線画像６５Ａの左側上部の素抜け領域６５Ｄに重なるように表示される。現在の放射線画像取得メニュー１１０は、横長の長方形状の表示領域１１０ａと、表示領域１１０ａ内に表示される文字１１０ｂとを備えている。文字１１０ｂは、現在の放射線画像取得メニュー１１０の登録時に設定された患畜種情報及び手技情報を表す。
【０１２６】
表示制御部４２は、画像表示領域７８に放射線画像６５Ａを表示した後に、表示待機時間が経過したか否かを判定する（Ｓ２４）。放射線画像６５Ａの表示後に、表示待機時間が経過した場合には（Ｓ２４でＹＥＳ）、表示制御部４２は、放射線画像６５Ａに重なるように次の放射線画像取得メニュー８２を表示する（Ｓ２５）。次の放射線画像取得メニューを表示するための処理は、検査画面５６に登録された全ての放射線画像取得メニューについての撮影が完了するまで繰り返される（Ｓ２６）。
【０１２７】
本実施形態によれば、放射線画像６５Ａを取得するために登録された現在の放射線画像取得メニュー１１０が放射線画像６５Ａに重なるように表示されるので、表示中の放射線画像６５Ａがどのようなメニューに基づいて取得されたのかを確認することができる。また、現在の放射線画像取得メニュー１１０は、放射線画像６５Ａの素抜け領域６５Ｄに重なるように表示されるので、放射線画像６５Ａが現在の放射線画像取得メニュー１１０によって隠れることもない。なお、現在の放射線画像取得メニュー１１０は、放射線画像６５Ａの左側上部の素抜け領域６５Ｄに表示するように説明したが、放射線画像６５Ａの右側の素抜け領域６５Ｂ内において、例えば、次の放射線画像取得メニュー８２の下部など、どこに表示してもよい。
【０１２８】
［第５実施形態］
本実施形態は、第２実施形態と同様に、放射線画像検出装置で検出された放射線画像である本画像と、本画像よりもデータ容量の小さな放射線画像であるプレビュー画像とを携帯型コンソールに送信する放射線撮影装置において、現在の放射線画像取得メニューを表示する処理を行うものである。図２１に示すように、本実施形態の放射線撮影装置９０は、第２実施形態と同様に、本画像９１及びプレビュー画像９２を送信する放射線画像検出装置９３と、本画像９１及びプレビュー画像９２を受信する携帯型コンソール３１とを備えている。プレビュー画像９２は、本画像９１のサイズを小さくし、あるいは画質を落とすなどしてデータ容量が小さくされており、本画像９１よりも送信時間が短くて済むので、本画像９１よりも先に携帯型コンソール３１による受信が完了する。
【０１２９】
図３０に示すように、携帯型コンソール３１の表示制御部４２は、放射線画像取得処理において、第２実施形態と同様に、患畜種情報及び手技情報の送信（Ｓ２０）、準備完了信号の受信（Ｓ２１）、プレビュー画像９２の受信（Ｓ３０）とを行う。図３１に示すように、表示制御部４２は、画像表示画面７７にプレビュー画像９２と、プレビュー画像９２を取得するために登録された現在の放射線画像取得メニュー１１５とを、プレビュー画像９２に現在の放射線画像取得メニュー１１５が重なるように画像表示画面７７に表示する（Ｓ４５）。現在の放射線画像取得メニュー１１５は、第４実施形態と同様に、プレビュー画像９２の左側の素抜け領域に重なるように表示される。また、表示制御部４２は、放射線画像検出装置９３から本画像９１を受信した場合には（Ｓ３２でＹＥＳ）、プレビュー画像９２及び現在の放射線画像取得メニュー１１５に代えて、本画像９１と、次の放射線画像取得メニュー８２とを画像表示画面７７に表示する（Ｓ３３）。次の放射線画像取得メニュー８２は、第１実施形態と同様に、本画像９１の右側の素抜け領域に重なるように表示される。
【０１３０】
本実施形態によれば、プレビュー画像９２とともに、プレビュー画像９２を取得するために登録された現在の放射線画像取得メニュー１１５が表示されるので、表示中のプレビュー画像９２がどのようなメニューに基づいて取得されたのかを確認することができる。また、プレビュー画像９２から本画像９１に表示が切り替わった場合には、次の放射線画像取得メニュー８２が表示されるので、患畜Ｐから手を離すことなく、次に撮影される放射線画像の撮影内容を確認することができる。
【０１３１】
［第６実施形態］
第４実施形態及び第５実施形態では、メニュー登録処理において登録された放射線画像取得メニューを利用して現在の放射線画像取得メニューを表示しているが、本実施形態では、撮影済みの放射線画像に付帯されている付帯情報を利用して、現在の放射線画像取得メニューに相当する情報を表示するものである。
【０１３２】
放射線画像検出装置３０により検出された放射線画像のデータは、医用画像のフォーマット及び通信プロトコルの標準規格であるＤＩＣＯＭ（Digital Imaging and Communication in Medicine）に準拠したファイル形式を備えている。図３２に示すように、ＤＩＣＯＭ規格の放射線画像ファイル１２０には、放射線画像データ１２１とともに、放射線画像をコンソールで表示する際に放射線画像に重なるように表示可能な情報が記録されたオーバーレイ情報１２２が付帯されている。本発明の付帯情報であるオーバーレイ情報１２２には、放射線画像に重ねて表示する位置毎の項目情報として、左上部１２２ａ、右上部１２２ｂ、左下部１２２ｃ、右下部１２２ｄが記録されている。例えば、オーバーレイ情報１２２の左上部１２２ａには、患畜ＩＤや患畜名などが設定されており、右上部１２２ｂには、検査番号や撮影メニュー名などが設定されている。
【０１３３】
図３３に示すように、携帯型コンソール３１の表示制御部４２は、画像表示画面７７において放射線画像及び現在の放射線画像取得メニューを表示する場合に、現在の放射線画像取得メニューに代えて、オーバーレイ情報１２２の項目情報を放射線画像に重なるように表示する。オーバーレイ情報１２２は、全ての項目が表示される必要はなく、現在の放射線画像取得メニューに相当する項目のみが表示される。図３３に示す例では、放射線画像６５Ａの左上部には患畜ＩＤ１２４ａが表示され、右上部には撮影メニュー名１２４ｂ、撮影部位１２４ｃ及び撮影方向１２４ｄが表示されている。本実施形態によれば、現在の放射線画像取得メニューを表示する場合と同様に、表示中の放射線画像がどのようなメニューに基づいて取得されたのかを確認することができる。
【０１３４】
［第７実施形態］
本実施形態は、次の放射線画像取得メニューを音声によって示すものである。図３４に示すように、本実施形態の携帯型コンソール１３０のＣＰＵ３１ｃは、コンソール用プログラムの起動により、表示制御部４２及び音声報知部１３１として機能する。音声報知部１３１は、表示制御部４２がタッチパネル３１ａに次の放射線画像取得メニューを表示する場合に、音声入出力部３１ｋから次の放射線画像取得メニューを音声出力する。出力する音声は、人物の音声を予め録音した音声データを再生してもよいし、ＣＰＵ３１ｃで合成した音声データを再生してもよい。本実施形態によれば、獣医師Ｄが携帯型コンソール１３０のタッチパネル３１ａを見る余裕がないような場合でも、音声入出力部３１ｋから音声で出力された次の放射線画像取得メニューを聞いて確認することができるので、患畜Ｐの姿勢を変更しながら複数枚の放射線画像を撮影する場合の作業性が向上する。
【０１３５】
［第８実施形態］
本実施形態は、検査画面５６で未撮影の放射線画像取得メニュー６２、６３が長押し操作されて画像表示画面７７に切り替えられた場合に、放射線画像が表示される前の画像表示領域７８に対し、放射線画像の撮影手順を表すガイダンス情報を表示するものである。図３５に示すように、本実施形態の携帯型コンソール１３５のストレージデバイス３１ｅには、患畜Ｐの放射線画像の撮影手順が記録された複数種類のガイダンス情報が格納されたガイダンスＤＢ１３６が格納されている。ガイダンス情報は、患畜Ｐの種類毎に作成されており、撮影手順を説明する説明画像と説明文とを備えている。説明画像は、写真やイラストなどの静止画や、ビデオやアニメーションなどの動画である。
【０１３６】
図３６に示すように、表示制御部４２は、検査画面５６で未撮影の放射線画像取得メニュー６２、６３が長押し操作されて画像表示画面７７に切り替えられた場合に、ガイダンスＤＢ１３６から、選択された放射線画像取得メニュー６２、６３の内容に適合したガイダンス情報を読み出して画像表示領域７８に表示する。画像表示領域７８に表示されるガイダンス情報１３８は、複数の撮影手順毎に説明画像１３９ａ、１４０ａ及び説明文１３９ｂ、１４０ｂを有している。画像表示領域７８にガイダンス情報１３８が表示しきれない場合には、画像表示領域７８がスクロール表示可能に切り替えられる。放射線画像検出装置３０から放射線画像を受信した場合には、画像表示領域７８には、ガイダンス情報１３８に代えて受信した放射線画像が表示される。本実施形態によれば、画面の切り替え直後に何も表示されていない画像表示領域７８を有効に利用することができる。また、画像表示領域７８にガイダンス情報１３８が表示されるので、ガイダンス情報を参考にして放射線画像の撮影を適切に行うことができる。
【０１３７】
［第９実施形態］
第１実施形態では、撮影台１５の台板２２上や、撮影台１５の近くに配置した台上に携帯型コンソール３１を配置する例について説明したが、図３７に示すように、本実施形態の放射線撮影システム１４５は、撮影台１５のスタンド部２０に対し、線源制御装置２５の操作パネル２５ａの近くに配置されるように、携帯型コンソール３１をはめ込んで保持するためのコンソール保持部１４６を設けている。これによれば、携帯型コンソール３１を撮影台１５上で保持することができるので、携帯型コンソール３１の視認性が向上する。また、携帯型コンソール３１が操作パネル２５ａの近くに配置されるので、撮影台１５から移動することなく携帯型コンソール３１と操作パネル２５ａとを操作することができる。なお、操作パネル２５ａの近くとは、獣医師Ｄが台板２２上の患畜Ｐを押さえている状態から移動することなく、携帯型コンソール３１と操作パネル２５ａとを両方とも操作可能な距離である。
【０１３８】
上記実施形態は、タブレット端末をベースとする携帯型コンソール３１を例に説明したが、本発明のうちタブレット端末に限定されない構成については、ノート型パソコンやスマートフォンをベースとした携帯型コンソールに対しても適用可能である。また、動物病院用の携帯型コンソール３１を例に説明したが、本発明は、人間用の医療施設、特に救急医療で用いられる携帯型コンソールにも適用可能である。
【０１３９】
また、上記実施形態では、放射線画像記録装置の一例として、ＦＰＤを備える放射線画像検出装置を使用し、放射線画像検出装置から放射線画像を取得する携帯型コンソールを例に説明したが、本発明は、放射線画像記録装置として、Ｘ線フイルムやイメージングプレートを利用する放射線画像記録装置を使用し、この放射線画像記録装置によって記録された放射線画像を、Ｘ線フイルム用スキャナや、イメージングプレート用読み取り装置から取得する携帯型コンソールにも適用可能である。
【符号の説明】
【０１４０】
１０  放射線画像検査システム
１１  放射線撮影システム
１２  画像サーバ
１３  通信ネットワーク
１５  撮影台
１６  放射線発生装置
１７  放射線撮影装置
３０  放射線画像検出装置（放射線画像記録装置）
３１  携帯型コンソール
３１ａ  タッチパネル
３１ｊ  携帯型コンソール用プログラム
３３  放射線画像ＤＢ
３４  光学画像ＤＢ
４２  表示制御部
４６  光学画像取得部
４７  放射線画像取得部
５６  検査画面
６２、６３  放射線画像取得メニュー
６５、６６  放射線画像
７７  画像表示画面
８２  次の放射線画像取得メニュー
１１５  現在の放射線画像取得メニュー
【図１】
2016059738.tif 000003
【図２】
2016059738.tif 000004
【図３】
2016059738.tif 000005
【図４】
2016059738.tif 000006
【図５】
2016059738.tif 000007
【図６】
2016059738.tif 000008
【図７】
2016059738.tif 000009
【図８】
2016059738.tif 000010
【図９】
2016059738.tif 000011
【図１０】
2016059738.tif 000012
【図１１】
2016059738.tif 000013
【図１２】
2016059738.tif 000014
【図１３】
2016059738.tif 000015
【図１４】
2016059738.tif 000016
【図１５】
2016059738.tif 000017
【図１６】
2016059738.tif 000018
【図１７】
2016059738.tif 000019
【図１８】
2016059738.tif 000020
【図１９】
2016059738.tif 000021
【図２０】
2016059738.tif 000022
【図２１】
2016059738.tif 000023
【図２２】
2016059738.tif 000024
【図２３】
2016059738.tif 000025
【図２４】
2016059738.tif 000026
【図２５】
2016059738.tif 000027
【図２６】
2016059738.tif 000028
【図２７】
2016059738.tif 000029
【図２８】
2016059738.tif 000030
【図２９】
2016059738.tif 000031
【図３０】
2016059738.tif 000032
【図３１】
2016059738.tif 000033
【図３２】
2016059738.tif 000034
【図３３】
2016059738.tif 000035
【図３４】
2016059738.tif 000036
【図３５】
2016059738.tif 000037
【図３６】
2016059738.tif 000038
【図３７】
2016059738.tif 000039